(57)【要約】      （修正有）【課題】ＣＤ・ＤＶＤ・ＭＤなどのような記録媒体を収納するケースの薄型のもので、視認性のよい背面タイトルが貼付け可能なケースを提供する。【解決手段】ＣＤ、ＤＶＤ、ＭＤなどの記録媒体を収納するトレイ１とこれに対面してその一端を開閉自在に蝶番結合したカバー２とより成り、しかも、そのトレイ１またはカバー２のいずれか一方の端部を、上下に亘って凸状の曲面２ａに形成し、この曲面２ａの端部の外側面にほぼ同じ長さの背面タイトルシート３を沿わせて装着する。または、この曲面２ａの端部の内側面に背面タイトルシート３を沿わせて装着する。後者の場合、背面タイトルの視認性とともに、背面タイトルシートの付けはずしの簡便性も高まる。【選択図】図４
0003118177.tif 000002
【実用新案登録請求の範囲】
【請求項１】
ＣＤ、ＤＶＤ、ＭＤなどの記録媒体を収納するケースにおいて、
ＣＤ、ＤＶＤ、ＭＤなどの記録媒体を収納するトレイと、
これに対面してその一端を開閉自在に蝶番結合したカバーとより成り、
しかも、そのトレイまたはカバーのいずれか一方の端部を、上下に亘って凸状の曲面    に形成し、
この曲面の端部の外側面にほぼ同じ長さの背面タイトルシートを沿わせて装着したこ    とを特徴としたＣＤ、ＤＶＤ、ＭＤなどの記録媒体を収納するケース。
【請求項２】
この曲面の端部の内側面に背面タイトルシートを沿わせて装着したことを特徴とした    請求項１記載のＣＤ、ＤＶＤ、ＭＤなどの記録媒体を収納するケース。
【考案の詳細な説明】
【技術分野】
【０００１】
本考案は、ＣＤ、ＤＶＤ、ＭＤなどのような記録媒体を収納するケースに関するものである。
【背景技術】
【０００２】
従来のＣＤケースより薄型のケースが出回り、省スペースで、たくさん並べて置けるようになった。しかし、薄いために、従来のように、背面のタイトルを見て選び出すということが出来なくなってしまっていた。光ディスク用の厚さ５ｍｍの薄型収納ケースに形状変更を加えずに、背面タイトルを表示する工夫も考案されていた。
【特許文献１】特開２００３−２３７８７１号公報
【考案の開示】
【考案が解決しようとする課題】
【０００３】
しかし、平面にタイトルを添付するために幅が狭く視認性の点で問題があった。
【課題を解決するための手段】
【０００４】
ＣＤ、ＤＶＤ、ＭＤなどの記録媒体を収納するトレイとこれに対面してその一端を開閉自在に蝶番結合したカバーとより成り、しかも、そのトレイまたはカバーのいずれか一方の端部を、上下に亘って凸状の曲面に形成し、この曲面の端部の外側面にほぼ同じ長さの背面タイトルシートを沿わせて装着した。
【０００５】
ＣＤ、ＤＶＤ、ＭＤなどの記録媒体を収納するトレイとこれに対面してその一端を開閉自在に蝶番結合したカバーとより成り、しかも、そのトレイまたはカバーのいずれか一方の端部を、上下に亘って凸状の曲面に形成し、この曲面の端部の内側面に背面タイトルシートを沿わせて装着した。
【考案の効果】
【０００６】
（１）請求項１により背面タイトルシートの表示面積が大きくなり、視認性が高まる。
（２）請求項２により背面タイトルシートをトレイとカバーの間に差し込む，あるいは，挟み込むという方法で簡単に着脱できるようになる。
【考案を実施するための最良の形態】
【０００７】
本考案の実施例を図面に基づいて説明する。
【実施例１】
【０００８】
ＣＤ、ＤＶＤ、ＭＤなどの記録媒体を収納するトレイ１とこれに対面してその一端を開閉自在に蝶番結合したカバー２の端部を、上下に亘って凸状の曲面２ａに形成し、この曲面の端部の外側面にほぼ同じ長さの背面タイトルシート３を沿わせて装着した。
【０００９】
図２に示すように、背面の断面を、背面の両端近くで曲率を大きくし、さらに、端部に傾斜した溝４を付けておくことで、背面タイトルシート３が、はがれにくくなる。
【００１０】
ケースの厚さは変えないで、背面の形状を曲げて面積を大きくし、薄さと視認性を両立させた。
【実施例２】
【００１１】
図３に示すように、弾力性のある透明の背面タイトルカバー５を用いて、凸状の曲面２ａの端部の外側面に、背面タイトルシート３をはさみ込んで装着した。
【実施例３】
【００１２】
図４に示すように、ＣＤ、ＤＶＤ、ＭＤなどの記録媒体を収納するトレイ１の一方の端部に軸６を設け、透明なカバー２の背面を凸状の曲面２ａにして、軸６を挟み込んで滑らかに回転し、開閉できるようにした。カバー２と軸６の間に背面タイトルシート３が差し込まれ、カバー２の内面に沿わせて回り込むように装着される。
【００１３】
背面タイトルシート３は、トレイ１の軸６にカバー２がセットされた状態の隙間にタイトル用紙７の一部として差し込むことが出来る。また、カバー２に背面タイトルシート３の部分を含むタイトル用紙７をセットしておいて、トレイ１の軸６で押し込みながら曲面２ａの内側にはめ込むことも出来る。
【００１４】
背面の狭い部分にシールを貼るといった細かい作業は必要なく、背面タイトルシート３をタイトル用紙７の一部として作成して、簡単に着脱できる。
【００１５】
透明プラスチックのカバー２の凸状の曲面２ａが光を屈折させて、背面タイトルシート３の端の部分まで、正面からよく見える。
【００１６】
カバー２の凸状の曲面２ａの断面を図５のように、半円形に近い形にし、さらに、端部のふくらみ８を付けておくことで、背面のタイトル用紙が止まり、軸６からカバー２がはずれにくくなる。
【００１７】
図６、図７のようにカバー２の凸状の曲面２ａの内側に背面タイトルシート３の厚みを超える深さの凹み９を設けて隙間１０をとした。
【００１８】
隙間１０があることで、背面タイトルシート３がスムーズに差し込め、カバー２の開閉の際に背面タイトルシート３が擦れてずれるといったようなことも起きない。
【００１９】
透明プラスチックのカバー２の弾性を利用して、軸６の上下両端の円柱部分をはさみ込み、通常は滑らかに回転して開閉できると共に、少し力を加えることで着脱もできる。
【実施例４】
【００２０】
射出成形で製作する場合、図５、図６に示したような端部のふくらみ８があると、金型の製作や、金型からの取り出しが困難である。それを解消するために、図８に示すように、ふくらみは付けずに、タイトル用紙７のズレを止める凸部１１を設けた。
【００２１】
この凸部１１に、軸６をはさんで簡単にはずれないように保持するはたらきを持たすことができる。
【００２２】
タイトル用紙７はズレを止める凸部１１と脱落を止める凸部１２と突起１３にはさまれて、固定され、入りすぎることもないし、カバー２の開閉に伴ってずれることもない。
【実施例５】
【００２３】
図９に示すように、トレイ１の軸６の背面のタイトル用紙が当たる部分の直径を小さくして、隙間１０とすることもできる。
【００２４】
この場合、直径の減少で少し視認性が低下するが、カバー２の背面は単純にできる。射出成形で製作する場合、金型の設計、製作が簡単になる利点がある。
【実施例６】
【００２５】
トレイ1の軸６は、カバー２を保持して回転するために、上下の端部は円柱状が適している。しかし、タイトル用紙の背面部分に接するところは、差し込むときにスムーズに誘導できて、カバー２の内側の面に支持できればよいので、円柱以外の形でもよい。また、上下が繋がっていなくてもよい。
【実施例７】
【００２６】
タイトル用紙７の背面タイトルシート３をカバー２の背面の内側に沿わせて支持するための部品と、カバー２を開閉するための蝶番結合する部品は独立させることが出来る。
【００２７】
カバー２の凸状の曲面２ａの終端部の上下に凸部１４を伸ばし、トレイ１の軸６の裏側の上下の面にそれを受ける凹部１５を設ける。
【００２８】
実施例６に示したように、トレイ1の軸６の上下を繋がないでおくことで、上下方向に開いて蝶番結合する凸部１４と凹部１５を容易にはめあわすことが出来る。
【産業上の利用可能性】
【００２９】
現在、主に流通しているＣＤケースの厚さは約１０mmである。それに対して、薄型のケースは半分の５mm程度の厚さである。その５mm程度の幅に背面タイトルシートを直接貼る場合、９ポイント程度の小さな文字しか使用できない。しかし、背面を曲面にすることで、１３ポイント程度の大きさの文字を十分使用できる。
【００３０】
タイトルが背面から十分視認できて商品価値が上がり、従来のケースとの置き換えが進めば、販売店では同じ面積に、２倍の商品を陳列できる。さらに、輸送、保管面でもコストダウンを図ることができる。
【００３１】
背面を曲面にすることで得られる視認性の向上は、薄型ケースだけでなく、従来の１０ｍｍ程度の厚さのケースに適用しても得られる効果である。
【００３２】
従来のケースでは部品点数が多く、タイトル用紙の入れ替えはトレイ内の部品をはずす必要があり、面倒な作業であったが、実施例３に示したように、タイトル用紙の入れ替えを簡単に行える利便性もある。
【図面の簡単な説明】
【００３３】
【図１】実施例１を説明する斜視図である。
【図２】実施例１の背面部分の断面図である。
【図３】実施例２を説明する斜視図である。
【図４】実施例３を説明する斜視図である。
【図５】実施例３の背面部分の水平方向の断面図である。
【図６】実施例３のカバーの背面部の斜視図である。
【図７】実施例３の背面部分の垂直方向の断面図である。
【図８】実施例４の背面部分の水平方向の断面図である。
【図９】実施例４のカバーの斜視図である。
【図１０】実施例５の背面部分の垂直方向の断面図である。
【図１１】実施例６のトレイの軸の斜視図である。
【図１２】実施例７の背面部分の垂直方向の断面図である。
【図１３】実施例７のカバーの背面部の斜視図である。
【符号の説明】
【００３４】
１    トレイ
２    カバー
２ａ  凸状の曲面
３    背面タイトルシート
４    傾斜した溝
５            背面タイトルカバー
６            軸
７            タイトル用紙
８            端部のふくらみ
９    背面タイトルシートが差し込まれる凹み
１０    背面タイトルシートが差し込まれる隙間
１１    タイトル用紙のズレを止める凸部
１２    タイトル用紙の脱落を止める凸部
１３    タイトル用紙を保持する突起
１４    開閉のための回転軸となる凸部
１５    回転軸となる突起を受ける凹部
【図１】
0003118177.tif 000003
【図２】
0003118177.tif 000004
【図３】
0003118177.tif 000005
【図４】
0003118177.tif 000006
【図５】
0003118177.tif 000007
【図６】
0003118177.tif 000008
【図７】
0003118177.tif 000009
【図８】
0003118177.tif 000010
【図９】
0003118177.tif 000011
【図１０】
0003118177.tif 000012
【図１１】
0003118177.tif 000013
【図１２】
0003118177.tif 000014
【図１３】
0003118177.tif 000015